(57)【要約】【課題】マグネットスイッチを覆うカバーの取り付けと取り外しをワンタッチで行うと共に、マグネットスイッチを覆うカバー全体の密封性を確保した状態で、マグネットスイッチの強制操作用の器具をカバーの内側に容易に挿入することができ、これによって断路器の操作不応動時の迅速な対応を可能としたマグネットスイッチ用防護装置を提供する。【解決手段】本発明は、ベース部に取り付けたマグネットスイッチを密封状に覆って防護するために箱状に形成されたカバーを備えているマグネットスイッチ用防護装置であって、ベース部にカバーをワンタッチで固定できるカバー固定用のピン部材を備えている。カバー固定用のピン部材は、基端部がベース部に固定され、先端部に所定の長さの固定頭部を回動自在に取り付けて成る。また、カバー固定用のピン部材は、基端部がベース部に若干移動可能となるように固定され、先端部に所定の長さの固定頭部を回動自在に取り付けて成る。【選択図】図５
2008193868.tif 000002
【特許請求の範囲】
【請求項１】
ベース部に取り付けたマグネットスイッチを密封状に覆って防護するために箱状に形成されたカバーを備えているマグネットスイッチ用防護装置であって、ベース部にカバーをワンタッチで固定できるカバー固定用のピン部材を備えたことを特徴とするマグネットスイッチ用防護装置。
【請求項２】
電気絶縁性を有するカバーの前面に、マグネットスイッチに対向した孔部を設け、この孔部に、スイッチ操作用の器具を挿入できるキャップ部材を取り付けている請求項１に記載のマグネットスイッチ用防護装置。
【請求項３】
カバーの開口側の縁部全周に、弾性部材を取り付けている請求項１または2に記載のマグネットスイッチ用防護装置。
【請求項４】
カバー固定用のピン部材は、基端部がベース部に固定され、先端部に所定の長さの固定頭部を回動自在に取り付けて成る請求項１乃至３のいずれかに記載のマグネットスイッチ用防護装置。
【請求項５】
カバー固定用のピン部材は、固定頭部をピン部材の長手方向に沿うように回動させてから、弾性部材を潰すようにカバーをベース部に押し付け、カバーの前面に設けた孔部に、カバーの内側から固定頭部を進入させてカバーの外側に固定頭部を突出させ、カバーの外側において、固定頭部をピン部材の長手方向に直交するように回動させ、潰れている弾性部材を元の状態に戻してカバーをベース部に密着状態に固定するものである請求項１乃至４のいずれかに記載のマグネットスイッチ用防護装置。
【請求項６】
カバー固定用のピン部材は、基端部がベース部に若干移動可能となるように固定され、先端部に所定の長さの固定頭部を回動自在に取り付けて成る請求項１または2に記載のマグネットスイッチ用防護装置。
【請求項７】
カバー固定用のピン部材は、スプリングバネを介することにより、基端部がベース部の外側に突出する方向に付勢されている請求項１または２、請求項6のいずれかに記載のマグネットスイッチ用防護装置。
【請求項８】
カバー固定用のピン部材は、固定頭部をピン部材の長手方向に沿うように回動させてから、ピン部材の基端部をスプリングバネに抗してベース部の内側に向けて押し込み、カバーの前面に設けた孔部に、カバーの内側から固定頭部を進入させてカバーの外側に固定頭部を突出させ、カバーの外側において、固定頭部をピン部材の長手方向に直交するように回動させ、押し込んでいるピン部材の基端部を元の状態に戻してカバーをベース部に密着状態に固定するものである請求項１または２、請求項６または７のいずれかに記載のマグネットスイッチ用防護装置。
【発明の詳細な説明】
【技術分野】
【０００１】
本発明は、断路器の開閉操作をする際の原動力であるモータのスイッチとして使用されるマグネットスイッチを、粉塵やギヤ用油等から防護するためのアクリル製のカバーを備えたマグネットスイッチ用防護装置に関するものである。
【背景技術】
【０００２】
従来においては、図９（ａ）・図１０（ａ）に示すように、遮断器の前後に配されている断路器の開閉操作をする際の原動力であるモータのスイッチとして使用されるマグネットスイッチＭＳを、粉塵やギヤ用油等から防護するために、スイッチ面を前方側へ向けてベース部Ｂに取り付けているマグネットスイッチＭＳを、前側からアクリル製等のカバー１で覆っている。
【０００３】
このとき、図９（ａ）・図１０（ａ）に示すように、カバー１の後ろ側に位置する開口側の四隅に、アクリル製の脚部Ｌが突出状に設けられおり、この脚部Ｌによってカバー１がマグネットスイッチＭＳのベース部Ｂに支持されている。
【０００４】
しかし、このような脚部Ｌの存在により、カバー１の開口部とベース部Ｂの間に隙間が存在することとなり、この隙間から小石や粉塵等がカバー１の内部に入り込んで、ベース部Ｂに取り付けているマグネットスイッチＭＳのスイッチ操作が不能となった事例がある。
【０００５】
そこで、図９（ｂ）・図１０（ｂ）に示すように、カバー１の開口側に設けた脚部Ｌをカットすることにより、カバー１の開口側とベース部Ｂの間に隙間ができないようにしている。
【０００６】
しかしながら、従来のように脚部Ｌをカットすることで、カバー１の開口側とベース部Ｂの間に隙間ができないようにする対策を行っていても、マグネットスイッチＭＳの不動作の原因が、外部から小石や粉塵等が入り込んでしまうことだけではないことから、マグネットスイッチＭＳのスイッチ操作が不能となってしまう事態の発生が、未だに後を絶たないのが現状である。
【０００７】
このため、従来の対処方法として、作業員が現地に出向し、アクリル製のカバー１を取り付けている２箇所のナットＮを外し、ベース部Ｂからカバー１を取り外してから、図１１に示すように、例えば、ボールペンのような尖った操作器具Ｐをスイッチ部分に押し当てて、マグネットスイッチＭＳを数回強制動作させることで、スイッチ部分の固着状態を解消させ、その後、エアースプレーで小石や粉塵等を飛散させる方法が採られていた。このような処置は、遮断器自体の点検時にも同様に行われている。
【０００８】
この他、従来における防護装置として、例えば、特許文献１に開示されているように、開閉接触子を接触させるＯＮボタンと該開閉接触子を開離させるＯＦＦボタンとが左右に並んで配置されている回路遮断器において、両ボタンのいずれか一方の前方に選択的に互いに独立して移動可能な二つのカバーと、二つのカバーのそれぞれを案内する互いに平行で近接させて設けられた二つのレールを有する案内部材と、両カバーの移動方向のレールの中間部に設けられた両カバーの移動を阻止する南京錠装着用の孔とを備え、両カバーを選択的に移動させてからロックすることによって１個の南京錠でＯＮ操作，ＯＦＦ操作又はその両操作を防止できるとともに、南京錠が装着されない場合であっても、少なくとも一方のボタンの前にカバーが位置することによって両ボタンを同時に操作することを防止できることで回路遮断器の寿命を長くできるものとした回路遮断器の操作ボタンロック装置なる技術が存在する。
【特許文献１】特開２００４−５５４１２号公報
【発明の開示】
【発明が解決しようとする課題】
【０００９】
しかしながら、従来のように、例えば、ボールペンのような尖った操作器具Ｐをスイッチ部分に押し当てて、マグネットスイッチＭＳを数回強制動作させるためには、アクリル製のカバー１を取り付けている２箇所のナットＮを外して、ベース部Ｂからカバー１を取り外さなければならず、このカバー１の取り外し作業が非常に面倒であった。
【００１０】
また、ベース部Ｂからカバー１を取り外し、操作器具Ｐをスイッチ部分に押し当てて、マグネットスイッチＭＳを数回強制動作させてスイッチ部分の固着状態を解消させた後、エアースプレーで小石や粉塵等を飛散させ、再度、ベース部Ｂにカバー１を取り付けるのに最低でも約１０分間程度の時間を費やすることから、この作業時間の間は、遮断器の前後に配している断路器に電圧が掛からないようにするため、通電操作を一旦中断しなければならなかった。
【００１１】
さらに、作業中において、マグネットスイッチＭＳ内の結露防止ヒーターの電源に触れて、作業員が感電する事態も発生していた。
【００１２】
一方、特許文献１に開示されている操作ボタンロック装置は、両カバーの移動方向のレールの中間部に設けられた両カバーの移動を阻止する南京錠装着用の孔が設けられているため、外部から当該孔を介しての小石や粉塵等の進入が避けられない状態となっていた。
【００１３】
しかも、二つのカバーが両ボタンのいずれか一方の前方に選択的に互いに独立して移動する際に、感電する虞れもあった。
【００１４】
そこで、本発明は如上のような従来存した諸事情に鑑み創出されたもので、マグネットスイッチを覆うカバーの取り付けと取り外しをワンタッチで行うと共に、マグネットスイッチを覆うカバー全体の密封性を確保した状態で、マグネットスイッチの強制操作用の器具をカバーの内側に容易に挿入することができ、これによって断路器の操作不応動時の迅速な対応を可能としたマグネットスイッチ用防護装置を提供することを目的とする。
【課題を解決するための手段】
【００１５】
本発明は、ベース部に取り付けたマグネットスイッチを密封状に覆って防護するために箱状に形成されたカバーを備えているマグネットスイッチ用防護装置であって、ベース部にカバーをワンタッチで固定できるカバー固定用のピン部材を備えたことで、上述した課題を解決した。
【００１６】
また、電気絶縁性を有するカバーの前面に、マグネットスイッチに対向した孔部を設け、この孔部に、スイッチ操作用の器具を挿入できるキャップ部材を取り付けていることで、同じく上述した課題を解決した。
【００１７】
さらに、カバーの開口側の縁部全周に、弾性部材を取り付けていることで、同じく上述した課題を解決した。
【００１８】
また、カバー固定用のピン部材は、基端部がベース部に固定され、先端部に所定の長さの固定頭部を回動自在に取り付けて成ることで、同じく上述した課題を解決した。
【００１９】
加えて、カバー固定用のピン部材は、固定頭部をピン部材の長手方向に沿うように回動させてから、弾性部材を潰すようにカバーをベース部に押し付け、カバーの前面に設けた孔部に、カバーの内側から固定頭部を進入させてカバーの外側に固定頭部を突出させ、カバーの外側において、固定頭部をピン部材の長手方向に直交するように回動させ、潰れている弾性部材を元の状態に戻してカバーをベース部に密着状態に固定するものであることで、同じく上述した課題を解決した。
【００２０】
また、カバー固定用のピン部材は、基端部がベース部に若干移動可能となるように固定され、先端部に所定の長さの固定頭部を回動自在に取り付けて成ることで、同じく上述した課題を解決した。
【００２１】
この他、カバー固定用のピン部材は、スプリングバネを介することにより、基端部がベース部の外側に突出する方向に付勢されていることで、同じく上述した課題を解決した。
【００２２】
また、カバー固定用のピン部材は、固定頭部をピン部材の長手方向に沿うように回動させてから、ピン部材の基端部をスプリングバネに抗してベース部の内側に向けて押し込み、カバーの前面に設けた孔部に、カバーの内側から固定頭部を進入させてカバーの外側に固定頭部を突出させ、カバーの外側において、固定頭部をピン部材の長手方向に直交するように回動させ、押し込んでいるピン部材の基端部を元の状態に戻してカバーをベース部に密着状態に固定するものであることで、同じく上述した課題を解決した。
【発明の効果】
【００２３】
本発明は、ベース部に取り付けたマグネットスイッチを密封状に覆って防護するために箱状に形成されたカバーを備えているマグネットスイッチ用防護装置であって、ベース部にカバーをワンタッチで固定できるカバー固定用のピン部材を備えたことから、ベース部へのカバーの取り付けと取り外しを、誰もが簡単に行うことができる。
【００２４】
即ち、従来より行われていた、アクリル製のカバーを取り付けている複数のナットを取り外す作業や、複数のナットを取り付ける作業を省いて、ベース部からカバーをワンタッチで取り外したり、また、ベース部にカバーをワンタッチで取り付けることができるのである。
【００２５】
そのため、従来より行われていた、作業員が現地に出向し、アクリル製のカバーを外し、例えば、ボールペンのような尖った操作器具をスイッチ部分に押し当てて、マグネットスイッチを数回強制動作させることで、スイッチ部分の固着状態を解消させ、その後、エアースプレーで小石や粉塵等を飛散させ、最後にカバーをベース部に取り付ける一連の作業を素早く行うことができる。
【００２６】
また、電気絶縁性を有するカバーの前面に、マグネットスイッチに対向した孔部を設け、この孔部に、スイッチ操作用の器具を挿入できるキャップ部材を取り付けていることから、マグネットスイッチを覆うカバー全体の密封性を維持している状態であっても、断路器の操作不応動時の迅速な対応が可能となる。
【００２７】
具体的には、カバーの孔に取り付けているキャップ部材にスイッチ操作用の器具を挿入し、その先端をスイッチ部分に押し当てて、マグネットスイッチを数回強制動作させることにより、スイッチ部分の固着状態を解消することができるのである。
【００２８】
また、スイッチ部分の固着状態を解消させた後は、キャップ部材からスイッチ操作用の器具を引き抜くことで、マグネットスイッチを覆うカバー全体の密封性が維持された状態となる。
【００２９】
さらに、カバーの開口側の縁部全周に、弾性部材を取り付けていることから、カバーの開口側をマグネットスイッチのベース部に隙間無く密着させて、カバー全体の密封性を確実に維持することができる。
【００３０】
また、カバー固定用のピン部材は、基端部がベース部に固定され、先端部に所定の長さの固定頭部を回動自在に取り付けて成ることから、固定頭部をピン部材の長手方向に沿うように回動させてから、弾性部材を潰すようにカバーをベース部に押し付け、カバーの前面に設けた孔部に、カバーの内側から固定頭部を進入させてカバーの外側に固定頭部を突出させ、カバーの外側において、固定頭部をピン部材の長手方向に直交するように回動させ、潰れている弾性部材を元の状態に戻すことにより、誰もが簡単に、カバーをベース部に密着状態に固定することができる。
【００３１】
加えて、カバー固定用のピン部材は、基端部がベース部に若干移動可能となるように固定され、先端部に所定の長さの固定頭部を回動自在に取り付けて成り、スプリングバネを介することにより、基端部がベース部の外側に突出する方向に付勢されていることから、固定頭部をピン部材の長手方向に沿うように回動させてから、ピン部材の基端部をスプリングバネに抗してベース部の内側に向けて押し込み、カバーの前面に設けた孔部に、カバーの内側から固定頭部を進入させてカバーの外側に固定頭部を突出させ、カバーの外側において、固定頭部をピン部材の長手方向に直交するように回動させ、押し込んでいるピン部材の基端部を元の状態に戻すことにより、誰もが簡単に、カバーをベース部に密着状態に固定することができる。
【発明を実施するための最良の形態】
【００３２】
以下に、本発明を実施するための最良の形態を、図面を参照して説明する。
【００３３】
本発明は、ベース部Ｂに取り付けたマグネットスイッチＭＳを密封状に覆って防護するために箱状に形成されたカバー１を備えているマグネットスイッチ用防護装置である。
【００３４】
このマグネットスイッチ用防護装置は、図１・図５・図８に示すように、ベース部Ｂにカバー１をワンタッチで固定できるカバー固定用のピン部材２を備えていることを特徴としている。
【００３５】
具体的には、本発明に係るマグネットスイッチ用防護装置は、箱状に形成された、例えば、アクリル製のカバー１を備えている。このカバー１は、図９（ａ）・図１０（ａ）に示す脚部Ｌをカットすることで、ベース部Ｂにカバー１を当接させたときに、カバー１の開口側に隙間ができないようにしている。
【００３６】
また、ベース部Ｂにカバー１を押し付けて当接させたときに、カバー１の開口側がマグネットスイッチＭＳのベース部Ｂに密着するようにするため、図１・図５に示すように、カバー１の開口側の縁部全周に、弾性部材３を取り付けている。
【００３７】
さらに、図１・図５に示すように、電気絶縁性を有するカバー１の前面に、マグネットスイッチＭＳに対向した孔部４ａ，４ｂを設け、この孔部４ａ，４ｂに、スイッチ操作用の器具５を挿入できるキャップ部材６を取り付けている。
【００３８】
キャップ部材６は、所定の硬さを有するゴムやスポンジにより形成されており、スイッチ操作用の器具５の押し込みによって内側に撓曲される、複数の放射状の切り込み６ａを有している。
【００３９】
また、左右一対の孔部４ａ，４ｂの上側には、図１・図５に示すように、誤認錯覚防止のための開シールおよび閉シールのそれぞれを貼設している。
【００４０】
カバー１の上面には、前記スイッチ操作用の器具５を差し込んで装着させるために、差込孔を設けている。この差込孔の大きさは、カバー１内に小石や粉塵等が進入しない程度の、例えば、器具５の幅員と略同じ程度の大きさのものである。また、この差込孔に、切り込み６ａを有するゴム製やスポンジ製の閉塞部材を嵌め込んでも良い。
【００４１】
弾性部材３は、図２に示すように、カバー１の開口側の縁部全周に渡って取り付けられるもので、断面形状が略Ｈ型のゴム材もしくはスポンジ材等によって形成されている。
【００４２】
そして、この弾性部材３のＨ型のいずれか一方の溝部３ａに、カバー１の開口側の縁部が嵌め入れられる。また、カバー固定用のピン部材２によるカバー１自体の押し込み固定によって、弾性部材３の溝部３ｂが圧縮されると共に、溝部３ｂがカバー１の内側に若干撓み込まれる状態となって、ベース部Ｂにカバー１の開口側を隙間無く密着させている。
【００４３】
また、図１に示すように、マグネットスイッチＭＳのベース部Ｂに配されているリード線Ｒを貫通させるための貫通部が、カバー１の開口側における上面部に形成されている。この貫通部を閉塞するために、図１・図３に示すように、ゴム製やスポンジ製等の断面略Ｈ型の板片によるクッションシート部材７が貫通部に取り付けられている。このクッションシート部材７は、Ｈ型のいずれか一方の溝部７ａがカバー１の貫通部の縁に嵌め込まれ、他方の溝部７ｂは、リード線Ｒに当たってカバー１の内側に押し込まれるものである。
【００４４】
さらに、このクッションシート部材７は、図３に示すように、カバー１の開口側における上面部の縁部から外側に向けて若干突出するように配置されており、ベース部Ｂにカバー１のクッションシート部材７強く押し付けて、隙間無く密着させている。
【００４５】
カバー固定用のピン部材２は、図４（ａ）に示すように、片端タップのボルト材によって形成され、先端部に固定頭部８が回動自在に取り付けられている。
【００４６】
固定頭部８は、所定の長さの板状に形成されている。また、ピン部材２の先端部は、その中央部に固定頭部８を配置できる空間を備えた二股状に形成されている。そして、ピン部材２の先端部に取り付けた支持軸９により固定頭部８の略中央部を支持して、固定頭部８をピン部材２の先端部に回動自在に取り付けているのである。
【００４７】
そして、図５に示すように、マグネットスイッチＭＳのベース部Ｂに形成されている上下一対のネジ孔Ｃに、ピン部材２の基端部に設けられたボルト部がねじ込まれ、固定頭部８をマグネットスイッチＭＳの前方に向けるようにして、ピン部材２をベース部Ｂに固定している。
【００４８】
これに対応して、図５に示すように、カバー１の前面部の上下位置に孔部１０が設けられ、ピン部材２の固定頭部８がカバー１の内側から進入し、孔部１０の外側へ突出できるようにしている。
【００４９】
この孔部１０の大きさは、カバー１内に小石や粉塵等が進入しない程度の、例えばカバー固定用のピン部材２の幅員と略同じ程度の大きさに形成されている。尚、この孔部１０に、ピン部材２を差し込み可能な切り込み６ａを備えたゴム製やスポンジ製の閉塞部材を取り付けても良い。
【００５０】
次に、以上のように構成された本発明の最良の形態について、組立・使用・動作の一例を説明する。
【００５１】
マグネットスイッチＭＳのベース部Ｂにカバー１を取り付ける際には、図４（ｂ）・図５に示すように、カバー固定用のピン部材２について、固定頭部８をピン部材２の長手方向に沿うように回動させる。
【００５２】
そして、図４（ｂ）（ｃ）に示すように、弾性部材３を潰すようにカバー１をベース部Ｂに押し付けて、カバー１の前面に設けた孔部１０に、カバー１の内側から固定頭部８を進入させる。
【００５３】
ピン部材２の固定頭部８がカバー１の外側に突出したならば、図４（ｄ）に示すように、カバー１の外側において、固定頭部８をピン部材２の長手方向に直交するように回動させる。
【００５４】
この状態において、押し付けているカバー１から手を離し、カバー１の潰れている弾性部材３を元の状態に戻すことにより、図１に示すように、カバー１をベース部Ｂに密着状態に固定するのである。
【００５５】
尚、マグネットスイッチＭＳのベース部Ｂからカバー１を取り外す場合には、弾性部材３を潰すようにカバー１をベース部Ｂに再度押し付けて、固定頭部８をピン部材２の長手方向に沿うように回動させる。
【００５６】
この状態でカバー１をベース部Ｂから引き離せば、カバー１を容易に取り外すことができる。
【００５７】
図６乃至図８には、本発明に係るマグネットスイッチ用防護装置の他の実施例が示されている。
【００５８】
尚、本実施例においては、上述した実施の形態と同じ部分には同一の符号を附することにより、その詳細な説明を省略する。
【００５９】
この実施例は、図７に示すように、カバー固定用のピン部材２において、その基端部がベース部Ｂに若干移動可能となるように固定されているものである。また、ピン部材２の先端部には、所定の長さの固定頭部８が回動自在に取り付けられている。
【００６０】
このカバー固定用のピン部材２は、スプリングバネ１１を介することにより、基端部がベース部Ｂの外側に突出する方向に付勢されている。
【００６１】
具体的には、図７に示すように、マグネットスイッチＭＳのベース部Ｂに設けた上下一対の孔部Ｄを介して、ピン部材２の基端部に位置するボルト部が、ベース部Ｂの外側に突出している。このピン部材２は、孔部Ｄにおいて、前後方向に移動自在に配置されている。
【００６２】
そして、ベース部Ｂの外側に突出しているピン部材２のボルト部は、ベース部Ｂ側にワッシャ１２ａを配置し、このワッシャ１２ａに当接するようにコイル状のスプリングバネ１１を配置している。また、このスプリングバネ１１を押さえ付けるように、ピン部材２のボルト部にナット１３が固定状態に取り付けられている。このスプリングバネ１１とナット１３の間にも、ワッシャ１２ｂを配置している。
【００６３】
このように、スプリングバネ１１は、ピン部材２のボルト部に配したワッシャ１２ａとナット１３により挟まれた状態となっている。ここで、ピン部材２のボルト部にナット１３が固定され、このピン部材２は孔部Ｄにおいて、前後方向に移動自在に配置されていることから、ピン部材２は、その基端部がベース部Ｂの外側に突出する方向に付勢されているのである。
【００６４】
また、カバー１の弾性部材３およびクッションシート部材７は、図６に示すように、それぞれの端部を、断面略コ字型に形成している。そして、弾性部材３のコ字型の溝部３ａ内に、弾性部材３を構成する所定の部材を嵌め込んでいる。また、クッションシート部材７のコ字型の溝部７ａ内に、クッションシート部材７を構成する所定の部材を嵌め込んでいる。
【００６５】
さらに、このクッションシート部材７は、図６に示すように、カバー１の開口側における上面部の縁部に合致するように配置されている。
【００６６】
マグネットスイッチＭＳのベース部Ｂにカバー１を取り付ける際には、カバー固定用のピン部材２について、固定頭部８をピン部材２の長手方向に沿うように回動させる。
【００６７】
そして、ピン部材２の基端部をスプリングバネ１１に抗してベース部Ｂの内側に向けて押し込んで、カバー１の前面に設けた孔部１０に、カバー１の内側から固定頭部８を進入させる。
【００６８】
ピン部材２の固定頭部８がカバー１の外側に突出したならば、図８に示すように、カバー１の外側において、固定頭部８をピン部材２の長手方向に直交するように回動させる。
【００６９】
この状態において、押し込んでいるピン部材２の基端部から手を離し、スプリングバネ１１の付勢によりピン部材２の基端部をベース部Ｂその側の元の位置に戻すことにより、図８に示すように、カバー１をベース部Ｂに密着状態に固定するのである。
【００７０】
尚、マグネットスイッチＭＳのベース部Ｂからカバー１を取り外す場合には、ピン部材２の基端部をスプリングバネ１１に抗してベース部Ｂの内側に向けて再度押し込んで、固定頭部８をピン部材２の長手方向に沿うように回動させる。
【００７１】
この状態でピン部材２の基端部から手を離せば、ピン部材２が元の位置に復帰して、固定頭部８がカバー１から外れるため、カバー１をベース部Ｂから容易に取り外すことができる。
【産業上の利用可能性】
【００７２】
本発明に係るマグネットスイッチ用防護装置は、断路器の開閉操作をする際の原動力であるモータのスイッチとして使用されるマグネットスイッチＭＳを粉塵、ギヤ用油等から防護する他に、種々の原動力となるスイッチを保護するための防護装置として、幅広く利用することができる。
【図面の簡単な説明】
【００７３】
【図１】カバー固定用のピン部材を介してベース部にカバーが取り付けられているマグネットスイッチ用防護装置の全体構成を示す斜視図である。
【図２】弾性部材の構成を示す斜視図である。
【図３】カバーへのクッションシート部材の取り付け状態を示す平面図である。
【図４】カバー固定用のピン部材の構成を示すもので、（ａ）はピン部材の先端部に固定頭部を回動自在に取り付けている状態の斜視図、（ｂ）は固定頭部をピン部材の長手方向に沿うように回動させた状態の側面図、（ｃ）はカバーをベース部に押し付けて、カバーの前面に設けた孔部に、カバーの内側から固定頭部を進入させている状態の側面図、（ｄ）はカバーの外側において固定頭部をピン部材の長手方向に直交するように回動させ、カバーをベース部に密着状態に固定している状態の側面図である。
【図５】カバー固定用のピン部材を介してベース部にカバーが取り付けられているマグネットスイッチ用防護装置の全体構成を示す分解斜視図である。
【図６】マグネットスイッチ用防護装置の他の実施例を示すもので、カバーへのクッションシート部材の取り付け状態を示す平面図である。
【図７】マグネットスイッチ用防護装置の他の実施例を示すもので、スプリングバネを介することにより、カバー固定用のピン部材の基端部がベース部の外側に突出する方向に付勢されている状態の側面図である。
【図８】マグネットスイッチ用防護装置の他の実施例を示すもので、基端部がベース部の外側に突出する方向に付勢されているカバー固定用のピン部材により、ベース部にカバーを密着状態に固定している状態の斜視図である。
【図９】従来のマグネットスイッチ用防護装置の構成を示すもので、（ａ）は開口側に脚部を備えているカバーの構成を示す側面図、（ｂ）は脚部を除去したカバーの構成を示す側面図である。
【図１０】従来のマグネットスイッチ用防護装置の構成を示すもので、（ａ）は開口側に脚部を備えているカバーの構成を示す斜視図、（ｂ）は脚部を除去したカバーの構成を示す斜視図である。
【図１１】マグネットスイッチのスイッチ操作が不能となったときの従来の対処方法を示すもので、作業員がベース部からカバーを取り外してから、ボールペンのような尖った操作器具をスイッチ部分に押し当てて、マグネットスイッチを強制動作させている状態を示す側面図である。
【符号の説明】
【００７４】
ＭＳ…マグネットスイッチ
Ｂ…ベース部
Ｃ…ネジ孔
Ｄ…孔部
Ｌ…脚部
Ｒ…リード線
Ｐ…操作器具
Ｎ…ナット
１…カバー
２…カバー固定用のピン部材
３…弾性部材
３ａ，３ｂ…溝部
４ａ，４ｂ…孔部
５…器具
６…キャップ部材
６ａ…切り込み
７…クッションシート部材
７ａ，７ｂ…溝部
８…固定頭部
９…支持軸
１０…孔部
１１…スプリングバネ
１２ａ，１２ｂ…ワッシャ
１３…ナット
【図１】
2008193868.tif 000003
【図２】
2008193868.tif 000004
【図３】
2008193868.tif 000005
【図４】
2008193868.tif 000006
【図５】
2008193868.tif 000007
【図６】
2008193868.tif 000008
【図７】
2008193868.tif 000009
【図８】
2008193868.tif 000010
【図９】
2008193868.tif 000011
【図１０】
2008193868.tif 000012
【図１１】
2008193868.tif 000013